(57)【要約】  安価な構成で、乗場ドアおよびかごドアのバイパスに関する規定を満足することができるエレベータのドアバイパス装置を得る。エレベータの点検時に乗場ドアまたはかごドアをバイパスするエレベータのドアバイパス装置であって、通常運転とバイパス運転との間でドアモードを切り換えるドアモード切り換えスイッチと、乗場ドアのバイパスとかごドアのバイパスとを切り換えるバイパス対象切り換えスイッチと、ドアモード切り換えスイッチによってドアモードがバイパス運転に切り換えられた場合において、バイパス対象切り換えスイッチによって乗場ドアのバイパスが選択されたときに、乗場ドアをバイパスするとともに、バイパス対象切り換えスイッチによってかごドアのバイパスが選択されたときに、かごドアをバイパスするバイパス用リレーと、を備えたものである。
2017187507.tif 000002
【特許請求の範囲】
【請求項１】
エレベータの点検時に乗場ドアまたはかごドアをバイパスするエレベータのドアバイパス装置であって、
通常運転とバイパス運転との間でドアモードを切り換えるドアモード切り換えスイッチと、
前記乗場ドアのバイパスと前記かごドアのバイパスとを切り換えるバイパス対象切り換えスイッチと、
前記ドアモード切り換えスイッチによってドアモードがバイパス運転に切り換えられた場合において、前記バイパス対象切り換えスイッチによって前記乗場ドアのバイパスが選択されたときに、前記乗場ドアをバイパスするとともに、前記バイパス対象切り換えスイッチによって前記かごドアのバイパスが選択されたときに、前記かごドアをバイパスするバイパス用リレーと、
を備えたエレベータのドアバイパス装置。
【請求項２】
前記バイパス用リレーにおいて、バイパス対象のリレーのＡ接点と、バイパス非対象のリレーのＢ接点とが直列に接続されている
請求項１に記載のエレベータのドアバイパス装置。
【請求項３】
前記ドアモード切り換えスイッチによってドアモードが通常運転に切り換えられている場合の回路において、バイパス対象のリレーのＢ接点と、バイパス非対象のリレーのＢ接点とが直列に接続されている
請求項１または請求項２に記載のエレベータのドアバイパス装置。
【請求項４】
前記バイパス用リレーにおいて、前記乗場ドア側の回路と前記かごドア側の回路とは、直列に接続されない
請求項１から請求項３までの何れか１項に記載のエレベータのドアバイパス装置。
【発明の詳細な説明】
【技術分野】
【０００１】
この発明は、エレベータの点検時に乗場ドアまたはかごドアをバイパス、すなわち短絡するエレベータのドアバイパス装置に関する。
【背景技術】
【０００２】
従来から、かごドアが全開しても、かご戸閉スイッチまたは乗場戸閉スイッチが閉成していると、これらの戸閉スイッチの何れかが短絡されていることを検出してこれを記憶し、かごドアが全開したとき、かご戸閉スイッチおよび乗場戸閉スイッチが開放していると、これらの戸閉スイッチは短絡されていないことを検出して、戸閉スイッチ短絡記憶を解除し、戸閉スイッチ短絡記憶の内容が、戸閉スイッチ短絡記憶クリア出力により解除されるまで、かごの起動を阻止するエレベータの故障検出装置が知られている（例えば、特許文献１参照）。
【先行技術文献】
【特許文献】
【０００３】
【特許文献１】特許４５１５７４２号明細書
【発明の概要】
【発明が解決しようとする課題】
【０００４】
近年、乗場ドア、かごドアおよび各ドアロックの接点の保守を目的として、乗場ドアおよびかごドアをバイパスするドアバイパス装置を設けることが規定され、ドアバイパス装置の機能に関して、以下の条件が規定された。【０００５】
ａ）通常運転制御を無効にすること。
ｂ）乗場ドアおよびかごドアの接点のバイパスが可能であること。
ｃ）かごドアの接点および乗場ドアの接点は、同時にバイパスできないこと。
ｄ）かごドアの接点がバイパスされた状態でかごを運転するため、かごドアの全閉をチェックする独立した監視信号を設けること。
ｅ）（手動乗場ドアの場合の条件のため、対象外。）
ｆ）かごの運転は、点検運転時か非常電動運転時のみ可能とすること。
ｇ）運転中は、かごにおける可聴信号およびかご下でのフラッシュライトが作動すること。【０００６】
しかしながら、特許文献１に記載されたエレベータの故障検出装置は、戸閉スイッチ短絡記憶の内容が、戸閉スイッチ短絡記憶クリア出力により解除されるまで、かごの起動を阻止することができるものの、上記の規定を満足していないという問題がある。【０００７】
この発明は、上記のような課題を解決するためになされたものであり、安価な構成で、乗場ドアおよびかごドアのバイパスに関する規定を満足することができるエレベータのドアバイパス装置を得ることを目的とする。
【課題を解決するための手段】
【０００８】
この発明に係るエレベータのドアバイパス装置は、エレベータの点検時に乗場ドアまたはかごドアをバイパスするエレベータのドアバイパス装置であって、通常運転とバイパス運転との間でドアモードを切り換えるドアモード切り換えスイッチと、乗場ドアのバイパスとかごドアのバイパスとを切り換えるバイパス対象切り換えスイッチと、ドアモード切り換えスイッチによってドアモードがバイパス運転に切り換えられた場合において、バイパス対象切り換えスイッチによって乗場ドアのバイパスが選択されたときに、乗場ドアをバイパスするとともに、バイパス対象切り換えスイッチによってかごドアのバイパスが選択されたときに、かごドアをバイパスするバイパス用リレーと、を備えたものである。
【発明の効果】
【０００９】
この発明に係るエレベータのドアバイパス装置によれば、ドアモード切り換えスイッチによってドアモードがバイパス運転に切り換えられた場合において、バイパス対象切り換えスイッチによって乗場ドアのバイパスが選択されたときに、バイパス用リレーは乗場ドアをバイパスする。また、バイパス用リレーは、ドアモード切り換えスイッチによってドアモードがバイパス運転に切り換えられた場合において、バイパス対象切り換えスイッチによってかごドアのバイパスが選択されたときに、かごドアをバイパスする。
そのため、安価な構成で、乗場ドアおよびかごドアのバイパスに関する規定を満足することができる。
【図面の簡単な説明】
【００１０】
【図１】この発明の実施の形態１に係るエレベータのドアバイパス装置を示すブロック構成図である。
【図２】この発明の実施の形態１に係るエレベータのドアバイパス装置を示すリレー回路図である。
【発明を実施するための形態】
【００１１】
以下、この発明に係るエレベータのドアバイパス装置の好適な実施の形態につき図面を用いて説明するが、各図において同一、または相当する部分については、同一符号を付して説明する。
【００１２】
実施の形態１．
図１は、この発明の実施の形態１に係るエレベータのドアバイパス装置を示すブロック構成図である。図１において、このエレベータのドアバイパス装置は、ドアバイパス操作部１０と、ドアバイパス制御部２０と、乗場ドア状態判定部３０とから構成されている。
【００１３】
ドアバイパス操作部１０は、点検スイッチ監視部１１、ドアモード切り換え部１２、ドアバイパス対象切り換え部１３およびドアバイパス動作部１４を有している。また、ドアバイパス制御部２０は、かご戸閉監視部２１、ドアバイパス設定監視部２２、かごドアバイパス部２３および乗場ドア状態出力部２４を有している。また、乗場ドア状態判定部３０は、乗場戸閉監視部３１、乗場ドアバイパス部３２および乗場ドア状態検出部３３を有している。
【００１４】
以下、図１とともに、図２を参照しながら、ドアバイパス操作部１０、ドアバイパス制御部２０および乗場ドア状態判定部３０の各部の構成および機能について説明する。図２は、この発明の実施の形態１に係るエレベータのドアバイパス装置を示すリレー回路図である。
【００１５】
図２において、ドアバイパス操作部１０、ドアバイパス制御部２０および乗場ドア状態判定部３０は、それぞれ左側の列の回路、真ん中の列の回路および右側の列の回路を示している。
【００１６】
また、ドアバイパス制御部２０は、一端が安全回路の電源側に接続され、他端が安全回路の主回路用コンタクタおよびブレーキ用コンタクタの給電側に接続されている。また、ドアバイパス操作部１０および乗場ドア状態判定部３０は、一端が制御電源に接続され、他端が接地されている。
【００１７】
点検スイッチ監視部１１は、運転モード切り換えスイッチであるＮＯＲＭＡＬ−ＩＮＳＰＥＣＴＩＯＮスイッチで構成され、通常運転と点検運転との間で運転モードを切り換える。なお、このエレベータのドアバイパス装置は、運転モードが点検運転である場合にのみ給電される。
【００１８】
ドアモード切り換え部１２は、ドアモード切り換えスイッチであるＮＯＲＭＡＬ−ＢＹＰＡＳＳスイッチで構成され、通常運転とバイパス運転との間でドアモードを切り換える。ドアバイパス対象切り換え部１３は、バイパス対象切り換えスイッチであるＨＡＬＬ−ＣＡＲスイッチで構成され、バイパスの対象となる乗場またはかごの回路、すなわち乗場ドアのバイパスとかごドアのバイパスとを切り換える。
【００１９】
ドアバイパス動作部１４は、バイパス用リレーであるＨＤＢリレーおよびＣＤＢリレーのコイルで構成され、ドアモード切り換えスイッチによってドアモードがバイパス運転に切り換えられた場合において、バイパス対象切り換えスイッチによって乗場ドアのバイパスが選択されたときに、乗場ドアをバイパスするようＨＤＢリレーのコイルが励磁される。
【００２０】
また、ドアバイパス動作部１４は、ドアモード切り換えスイッチによってドアモードがバイパス運転に切り換えられた場合において、バイパス対象切り換えスイッチによってかごドアのバイパスが選択されたときに、かごドアをバイパスするようＣＤＢリレーのコイルが励磁される。
【００２１】
かご戸閉監視部２１は、かご戸閉検出スイッチであるＧＳスイッチで構成され、かごドアが閉まっているか否かを監視する。
【００２２】
ドアバイパス設定監視部２２は、ドアモード切り換え部１２のドアモード切り換えスイッチと連動して切り換わるＮＯＲＭＡＬ−ＢＹＰＡＳＳスイッチ、およびドアバイパス対象切り換え部１３のバイパス対象切り換えスイッチと連動して切り換わるＨＡＬＬ−ＣＡＲスイッチで構成され、ドアモードおよびバイパス対象のドアを監視する。
【００２３】
かごドアバイパス部２３は、バイパス用リレーであるＨＤＢリレーおよびＣＤＢリレーの接点で構成され、ドアモードがバイパス運転に切り換えられた場合において、かごドアのバイパスが選択されたときに、かごドアをバイパスする回路を構成する。
【００２４】
乗場ドア状態出力部２４は、乗場戸閉検出リレーの接点で構成され、乗場ドア状態判定部３０の乗場ドア状態検出部３３を構成する乗場戸閉検出リレーのコイルが励磁された場合に、接点が閉じて導通状態になる。
【００２５】
乗場戸閉監視部３１は、乗場戸閉検出スイッチであるＤＳスイッチで構成され、乗場ドアがすべて閉まっているか否かを監視する。なお、図２では、１つのスイッチのみを示しているが、実際には、各階床についてスイッチが直列に接続されている。
【００２６】
乗場ドアバイパス部３２は、バイパス用リレーであるＨＤＢリレーおよびＣＤＢリレーの接点で構成され、ドアモードがバイパス運転に切り換えられた場合において、乗場ドアのバイパスが選択されたときに、乗場ドアをバイパスする回路を構成する。
【００２７】
乗場ドア状態検出部３３は、乗場戸閉検出リレーのコイルで構成され、乗場ドアがすべて閉まっているか、または乗場ドアバイパス部３２によって乗場ドアがバイパスされている場合に、コイルが励磁される。
【００２８】
すなわち、このエレベータのドアバイパス装置は、安全回路および乗場ドア戸閉検出回路に直列または並列に接続されたスイッチとリレーの接点とを用いて通常運転と点検運転との間でドアモードを切り換えるとともに、バイパス対象のドアを切り換える。
【００２９】
ここで、かごドアバイパス部２３および乗場ドアバイパス部３２では、バイパス対象のリレーのＡ接点と、バイパス非対象のリレーのＢ接点とが直列に接続されている。これにより、乗場ドアとかごドアとが同時にバイパスされることを防止することができる。また、バイパス非対象のリレーのオン故障時には、バイパス対象側の回路が成立しないので、エレベータを起動することができず、故障認識が可能になる。
【００３０】
また、ドアモード切り換えスイッチによってドアモードが通常運転に切り換えられている場合の回路において、安全回路および乗場ドア戸閉検出回路に各リレーのＢ接点を挿入することで、リレーのオン故障が発生した場合には、安全回路が成立しないので、通常運転を阻止することができる。
【００３１】
また、乗場ドア側の回路とかごドア側の回路の健全性を担保するために、乗場ドア側の回路とかごドア側の回路とを直列に接続しないことにより、独立して監視できる構成としている。
【００３２】
また、上述した条件ｄ）に対応するために、かごドア全閉を監視するセンサを設けてもよい。また、上述した条件ｇ）に対応するために、乗場ドアまたはかごドアがバイパスしていることを認識する信号を出力できるようにしてもよい。
【００３３】
続いて、図２を参照しながら、このエレベータのドアバイパス装置の動作について説明する。なお、ここでは、かご戸閉監視部２１が、かごドアがすべて閉まっていることを検出し、乗場戸閉監視部３１が、乗場ドアがすべて閉まっていることを検出しているものとする。
【００３４】
まず、ドアモードを通常運転からバイパス運転に切り換える場合、ＮＯＲＭＡＬ−ＢＹＰＡＳＳスイッチがＢＹＰＡＳＳ側に切り換えられる。次に、乗場ドアをバイパスする場合、ＨＡＬＬ−ＣＡＲスイッチがＨＡＬＬ側に切り換えられる。このとき、ＨＤＢリレーのコイルが励磁され、乗場ドアをバイパスする回路が構成される。
【００３５】
また、かごドアをバイパスする場合、ＨＡＬＬ−ＣＡＲスイッチがＣＡＲ側に切り換えられる。このとき、ＣＤＢリレーのコイルが励磁され、かごドアをバイパスする回路が構成される。
【００３６】
このように、２つのスイッチおよび２つのリレーの接点によって安全回路が切り換わり、乗場ドアまたはかごドアの何れかの安全回路をバイパスして、点検運転が可能な状態となる。
【００３７】
以上のように、実施の形態１によれば、ドアモード切り換えスイッチによってドアモードがバイパス運転に切り換えられた場合において、ドアモード切り換えスイッチによって乗場ドアのバイパスが選択されたときに、バイパス用リレーは乗場ドアをバイパスする。また、バイパス用リレーは、ドアモード切り換えスイッチによってドアモードがバイパス運転に切り換えられた場合において、ドアモード切り換えスイッチによってかごドアのバイパスが選択されたときに、かごドアをバイパスする
そのため、安価な構成で、乗場ドアおよびかごドアのバイパスに関する規定を満足することができる。
【図１】
2017187507.tif 000003
【図２】
2017187507.tif 000004
【国際調査報告】
2017187507.tif 000005
2017187507.tif 000006